(57)【要約】【課題】軒樋吊り具の建物への強固な固定を行って軒樋の建物からの脱落を防止できる軒樋吊り具の取付構造を提供する。【解決手段】基板７の長手方向の端部に前方に突出した係止突起９を設ける。溝部材２のリップ片５に前後に貫通した被係止孔１０を形成する。軒樋吊り具１を溝部材２に取り付けた状態で係止突起９と被係止孔１０とが嵌合する。【選択図】　　　　図１
2004084298.tif 000002
【特許請求の範囲】
【請求項１】
底片の上下端からそれぞれ前方に突出片を突設すると共に各突出片の先端から突出片の対向方向にリップ片を突設して形成された断面リップ付きコ字状の溝部材を、その底片の裏面を建物の軒先に沿わせて取り付け、軒樋を支持する支持腕部と支持腕部を前方に突設させた基板とで構成した軒樋吊り具の基板を溝部材のリップ片間の隙間寸法より大きい長辺及び溝部材のリップ片間の隙間寸法より小さい短辺を有する矩形板状に形成し、この基板を溝部材の各片に囲まれた取り付け溝内に挿入して回転させて基板の長手方向の両端部をリップ片と底片との間に嵌合させることで軒樋吊り具を溝部材に取り付けてなる軒樋吊り具の取付構造において、基板の長手方向の端部に前方に突出した係止突起を設けると共に溝部材のリップ片に前後に貫通した被係止孔を形成し、軒樋吊り具を溝部材に取り付けた状態で係止突起と被係止孔とが嵌合したことを特徴とする軒樋吊り具の取付構造。
【請求項２】
軒樋吊り具の基板に前後に貫通する貫通孔を形成し、この貫通孔の前方から挿入したビス等の固着具を軒先などの建物に打入して軒樋吊り具を溝部材に固定してなることを特徴とする請求項１記載の軒樋吊り具の取付構造。
【発明の詳細な説明】
【０００１】
【発明の属する技術分野】
本発明は、軒樋を支持する軒樋吊り具を軒先などの建物に取付ける取付構造に関する発明である。
【０００２】
【従来の技術】
従来から、軒樋吊り具の取付構造にあっては、たとえば特願平１１−２８６４６４に記載されたもののように、建物Ｔの軒先に固定した溝部材２を介して軒樋吊り具１を建物Ｔの軒先に取り付けたものが知られている。図５に示すように、溝部材２は、底片３の上下端からそれぞれ前方に突出片４を突設すると共に各突出片４の先端から突出片４の対向方向にリップ片５を突設して断面リップ付きコ字状に形成されて各片３，４，５に囲まれた取り付け溝８を有して構成され、底片３の裏面を軒先などの建物Ｔに沿わせて固定している。また、軒樋吊り具１は、軒樋を支持する支持腕部６と支持腕部６を前方に突設させた基板７とで構成され、この基板７は溝部材２のリップ片５間の隙間寸法Ｈより大きい長辺７ａ及び溝部材２のリップ片５間の隙間寸法Ｈより小さい短辺７ｂを有する矩形板状に形成されている。そして、この基板７を溝部材２の取り付け溝８内に挿入して回転させ［図６（ａ）→図６（ｂ）］、基板７の長手方向の両端部をリップ片５と底片３との間に嵌合させることで軒樋吊り具１を溝部材２に取り付けている。なお、この例では基板７表面の長手方向の一端部にＬ字状の係止片３０が突設されており、軒樋吊り具１を溝部材２に取り付けた状態で係止片３０と基板７表面とでリップ片５を挟持することで、軒樋吊り具１の溝部材２への固定を強固に行わせているものである。
【０００３】
【発明が解決しようとする課題】
この軒樋吊り具の取付構造では、軒樋吊り具１を建物Ｔに簡単に着脱できるといった利点を有し、更には軒樋吊り具１の建物Ｔへの固定を強固にできるものであるが、この軒樋吊り具１の建物Ｔへの固定を強固にするにあたっては、取り付け溝８に基板７を挿入して回転させたときにリップ片５が係止片３０と基板７表面との間に入り込んで挟持されるといった構造で行われることから、基板７の溝部材２への取り付け回転に対して逆回転を行わせるような荷重が軒樋吊り具１にかかった場合には、係止片と基板７表面とのリップ片５の挟持が外れ、そのまま取り付け溝８内で基板７が逆回転し、軒樋吊り具１が溝部材２から外れてしまうものである。たとえば雪国などでは、屋根に積もった雪塊が自重で滑り落ちて軒樋や軒樋吊り具１にひっかかるといったことがしばしば起こるものであり、この軒樋や軒樋吊り具１にひっかかった雪塊が軒樋吊り具１に基板７の溝部材２への取り付け回転と逆回転をさせるような荷重をかけてしまうことがあり、軒樋吊り具１が溝部材２から外れて軒樋が建物Ｔから外れ落ちることが生じてしまうものであった。
【０００４】
本発明は上記の点に鑑みてなされたものであり、軒樋吊り具の建物への強固な固定を行って軒樋の建物からの脱落を防止できる軒樋吊り具の取付構造を提供することを課題とするものである。
【０００５】
【課題を解決するための手段】
上記課題を解決するために本発明に係る軒樋吊り具の取付構造は、底片３の上下端からそれぞれ前方に突出片４を突設すると共に各突出片４の先端から突出片４の対向方向にリップ片５を突設して形成された断面リップ付きコ字状の溝部材２を、その底片３の裏面を建物Ｔの軒先に沿わせて取り付け、軒樋を支持する支持腕部６と支持腕部６を前方に突設させた基板７とで構成した軒樋吊り具１の基板７を溝部材２のリップ片５間の隙間寸法Ｈより大きい長辺７ａ及び溝部材２のリップ片５間の隙間寸法Ｈより小さい短辺７ｂを有する矩形板状に形成し、この基板７を溝部材２の各片３，４，５に囲まれた取り付け溝８内に挿入して回転させて基板７の長手方向の両端部をリップ片５と底片３との間に嵌合させることで軒樋吊り具１を溝部材２に取り付けてなる軒樋吊り具の取付構造において、基板７の長手方向の端部に前方に突出した係止突起９を設けると共に溝部材２のリップ片５に前後に貫通した被係止孔１０を形成し、軒樋吊り具１を溝部材２に取り付けた状態で係止突起９と被係止孔１０とが嵌合したことを特徴とする。これによると、軒樋吊り具１を溝部材２に取り付けた状態では基板７の係止突起９がリップ片５の被係止孔１０に嵌合しているので、軒樋吊り具１に基板７を回転させる方向に荷重がかかったときにも軒樋吊り具１が溝部材２から外れることをなくすることができ、軒樋吊り具１の溝部材２への固定、すなわち軒樋の建物Ｔへの取付強度を強固にすることができる。
【０００６】
また、軒樋吊り具１の基板７に前後に貫通する貫通孔１１を形成し、この貫通孔１１の前方から挿入したビス等の固着具１２を軒先などの建物Ｔに打入して軒樋吊り具１を溝部材２に固定したことも好ましい。これによると、固着具１２によって軒樋吊り具１を建物Ｔに完全に固定でき、軒樋の建物Ｔへの取付強度を更に強固にすることができる。
【０００７】
【発明の実施の形態】
以下、本発明を添付図面に示す実施形態に基づいて説明する。図１乃至図４に示す本発明の実施の形態の例も、従来同様、軒樋吊り具１の基板７を溝部材２の取り付け溝８内に挿入して回転させることで建物Ｔの軒先に取り付けるものであるが、従来技技術の欠点であった軒樋吊り具１にかかった基板７の回転方向の荷重による軒樋吊り具１の溝部材２からの外れを無くするように、軒樋吊り具１を溝部材２に取り付けたものである。以下、詳述する。
【０００８】
溝部材２は、図３に示すように、底片３の上下端からそれぞれ前方に突出片４を突設すると共に各突出片４の先端から突出片４の対向方向にリップ片５を突設して形成された断面リップ付きコ字状の部材であって、その内部には各片３，４，５に囲まれると共に１対のリップ片５間の隙間を介して外方に開口した取り付け溝８が設けられている。そして、この溝部材２は底片３の裏面を建物Ｔの軒先（鼻隠し）に沿わせるようにして釘などの固着具１３によって取り付けられる。つまり、溝部材２を建物Ｔの軒先に取り付けた状態では、取り付け溝８は１対のリップ片５間の隙間を介して前方に開口するようになっている。また、この溝部材２の一方のリップ片５には前後に貫通すると共に左右に長いスリット状の被係止孔１０が形成されている。なお、一方のリップ片５は他方のリップ片５に比べて突出片４からの突出量を小さく形成されている。本例では、上記一方のリップ片５を下方に位置したリップ片５にて構成し、この下方のリップ片５に被係止孔１０を設けると共に突出片４からの突出量を小さく形成させている。また、底片３におけるリップ片５が対向しない部位のうち上下端部分には前方に凸となる折曲突条１４がそれぞれ形成されている。
【０００９】
軒樋吊り具１は、図２に示すように、軒樋を支持する支持腕部６と支持腕部６を前方に突設させた基板７とで構成されている。
【００１０】
支持腕部６はその突出先端に軒樋の前耳部が係止される前耳係止部を備えると共に突出基部に軒樋の後耳部が係止される後耳係止部を備えている。本例の前耳係止部は支持腕部６の突出先端から上方に突設した上縦片１５で構成されている。この上縦片１５は上方ほど基板７側に位置する傾斜を有した板片であって軒樋の前壁内面と前耳部との間に挟ませて軒樋を係止させるようにするものである。また、支持腕部６の突出先端の下部には下縦片１６が形成されている。この下縦片１６は軒樋の前壁内面に当接させる部位である。また、後耳係止部は、軒樋の後耳部の断面形状を一廻り大きくした断面形状を有して下方に開口した凹溝１７を有し、この凹溝１７の前側に軒樋の後耳部の下面を引っ掛ける耳用爪部１８を形成すると共に、凹溝１７の後側に軒樋の後壁外面に弾接させる弾接縦片１９とを形成して構成されている。つまり、支持腕部６に軒樋を支持させるにあたっては、凹溝１７に軒樋の後耳部を挿入し、後耳部を弾接縦片１９にて前方に押圧させると共に後耳部の下面を耳用爪部１８に引っ掛けることで後耳係止部に後耳部を係止させ、また、軒樋の前壁内面と前耳部との間に上縦片１５を挟ませて前耳係止部に軒樋の前耳部を係止させることで行わせるものである。
【００１１】
基板７は、上下方向に長辺７ａを有し且つ左右方向に短辺７ｂを有してなる矩形板状に形成されている。ここで、長辺７ａの長さ寸法Ｄは溝部材２のリップ片５間の隙間寸法Ｈより大きく且つ突出片４間の隙間寸法Ｌより小さい寸法に設定されており、短辺７ｂの長さ寸法Ｃは溝部材２のリップ片５間の隙間寸法Ｈより小さい寸法に設定されている。また、基板７の一方の対角部分にはそれぞれＲ形状に施したＲ部２０が形成されており、他方の対角部分には左右方向に突出した突片部２１が形成されている。この突片部２１には軒樋吊り具１を溝部材２に取り付けたときに溝部材２の左右端部に引っ掛けることができる後方突起２２を有している。また、一方の突片部２１には前後に貫通する貫通孔１１が形成されている。本例では、下方に位置した突片部２１に貫通孔１１が形成されている。また、基板７の長手方向の一端部には、端縁から内方に切り込んだ１対の切り込み２６を左右に有して前後に弾性変形可能にした板状の係止突起９が形成されている。本例では、基板７の下端中央部分にこの係止突起９が形成されている。この係止突起９の突出先端には前方に突出した爪部２３が形成されている。この爪部２３にあっては、左右方向のＲ部２０側一端部分に前方への突出量を小さくするような切り欠き部２４が形成されている［図２（ｃ）］。この切り欠き部２４は、爪部２３を被係止孔１０に挿入し易くするものである。また、基板７の裏面には裏方に突出した１対の位置決め突起２５が左右に並べて突設されている。この１対の位置決め突起２５の間の寸法は、溝部材２の１対の折曲突条１４間の寸法Ｗと略同じかそれ以下の寸法に設定されている。
【００１２】
この軒樋吊り具１は、上述したように建物Ｔの軒先に取り付けた溝部材２を介して建物Ｔに取り付けられるのであるが、以下のように行われる。
【００１３】
まず、溝部材２の取り付け溝８内に軒樋吊り具１の基板７を挿入する。このとき、図４に示すように、軒樋吊り具１の基板７の短辺７ｂを上下方向に合わせると共に長辺７ａを左右方向に合わせるように軒樋吊り具１を横倒しの状態にし、この状態で基板７の裏面を底片３の前面に対面させるように基板７を取り付け溝８内に挿入する。基板７の短辺７ｂの長さ寸法はリップ片５間の隙間寸法Ｈよりも小さく設定されているので、溝部材２の前面側からリップ片５間を通して基板７を取り付け溝８内に挿入することができる。なお、このとき、基板７の裏面の１対の位置決め突起２５は底片３の前面の１対の折曲突条１４間に位置規制されるようになっていて、取り付け溝８内に位置した基板７がぐらつかないようにされている。
【００１４】
次に、基板７の短辺７ｂを左右方向に合わせると共に長辺７ａを上下方向に合わせるように取り付け溝８内で基板７を回転させる（図４矢印Ｂ）。この基板７の回転は基板７の中央部分を中心とした回転であるが、その回転方向は、基板７の長手方向の端部にある突片部２１とＲ部２０とで比較すると、突片部２１よりもＲ部２０が先行して回転する方向である。このように基板７を回転させ、短辺７ｂを左右方向に合わせると共に長辺７ａを上下方向に合わせるようにすると、図１に示すように、基板７の長手方向の両端部が溝部材２の底片３とリップ片５との間に挿入され、基板７の長手方向の両端部が底片３とリップ片５とで挟持され、同時に基板７の係止突起９の爪部２３が溝部材２のリップ片５の被係止孔１０に嵌合する。また、このときには後方突起２２が溝部材２の左右端部に引っ掛かるものである。
【００１５】
このように係止突起９の爪部２３がリップ片５の被係止孔１０に嵌合して軒樋吊り具１を溝部材２に取り付けた状態では、たとえ軒樋吊り具１に基板７の取り付け時の回転方向と逆回転の荷重がかかったとしても、係止突起９の爪部２３のリップ片５の被係止孔１０への嵌合が外れない限り、基板７は回転せずに取り付け溝８から外れないものであり、したがって軒樋吊り具１は溝部材２に強固に取り付けできるようにされているのである。更に言うと、被係止孔１０は左右方向に長いスリット状の長孔であり、また係止突起９の爪部２３は左右に適度な長さを有しているので、軒樋吊り具１に基板７の取り付け時の回転方向と逆回転の荷重がかかった場合にも、その荷重を被係止孔１０の孔縁と係止突起９の爪部２３の外縁との面接触によって抑えることができて、係止突起９の爪部２３の被係止孔１０への嵌合は外れにくいものとされているのである。
【００１６】
最後に、基板７の突片部２１の貫通孔１１に前面側から釘やビスなどの固着具１２を挿通させると共にこの固着具１２を建物Ｔに打入する。これにより軒樋吊り具１を建物Ｔに更に強固に固定させることができる。なお、固着具１２としてビスを用いる場合には、軒樋吊り具１の建物Ｔへの固定強度を向上させ得るように貫通孔１１は雌ネジ孔に形成することが好ましいものである。
【００１７】
なお、この固着具１２による本固定の前段階における、係止突起９の爪部２３をリップ片５の被係止孔１０に嵌合させ且つ基板７の長手方向の両端部を底片３とリップ片５とで挟持させて行う軒樋吊り具１の溝部材２への取り付け状態にあっても、ある程度強固な固定強度を保って軒樋吊り具１を建物Ｔに固定させることができるのであることから、この固着具１２による軒樋吊り具１の建物Ｔへの本固定は適宜行うようにしてもよい。つまり、従来技術の項でも述べたように雪国などの寒冷地の建物Ｔに取り付けた軒樋にあっては、屋根に積もった雪が自重により滑り落ちて軒樋に引っ掛かることがしばしば起こり、この雪塊の自重が軒樋を通じて軒樋吊り具１に基板７の回転方向への荷重を負荷させるものであるが、係止突起９の爪部２３をリップ片５の被係止孔１０に嵌合させ且つ基板７の長手方向の両端部を底片３とリップ片５とで挟持させた状態で軒樋吊り具１を溝部材２に取り付けたことですでに、この雪塊による軒樋吊り具１の溝部材２からの外れ、すなわち軒樋の建物Ｔからの外れをある程度有効に防止できるのである。しかして、建物Ｔの立地条件によって固着具１２による軒樋吊り具１の建物Ｔへの本固定を省くこともでき、これによると施工工程を少なくできることから施工性の向上を図ることもできるものである。
【００１８】
【発明の効果】
上記のように本発明の請求項１記載の発明にあっては、底片の上下端からそれぞれ前方に突出片を突設すると共に各突出片の先端から突出片の対向方向にリップ片を突設して形成された断面リップ付きコ字状の溝部材を、その底片の裏面を建物の軒先に沿わせて取り付け、軒樋を支持する支持腕部と支持腕部を前方に突設させた基板とで構成した軒樋吊り具の基板を溝部材のリップ片間の隙間寸法より大きい長辺及び溝部材のリップ片間の隙間寸法より小さい短辺を有する矩形板状に形成し、この基板を溝部材の各片に囲まれた取り付け溝内に挿入して回転させて基板の長手方向の両端部をリップ片と底片との間に嵌合させることで軒樋吊り具を溝部材に取り付けてなる軒樋吊り具の取付構造において、基板の長手方向の端部に前方に突出した係止突起を設けると共に溝部材のリップ片に前後に貫通した被係止孔を形成し、軒樋吊り具を溝部材に取り付けた状態で係止突起と被係止孔とが嵌合したので、軒樋吊り具に基板を回転させる方向に荷重がかかったときにも軒樋吊り具が溝部材から外れることをなくすることができ、軒樋吊り具の溝部材への固定、すなわち軒樋の建物への取付強度を強固にすることができる。軒樋吊り具にかかる基板の回転方向への荷重は軒樋に雪が引っ掛かることなどで起こり得るものであるが、本発明の軒樋吊り具の取付構造はこのような場合に対する軒樋吊り具の溝部材への固定強度を強固にするものであるので、つまり寒冷地に立つ建物に軒樋を取り付ける際に本発明の軒樋吊り具の取付構造を用いることは特に有効である。
【００１９】
また、請求項２記載の発明にあっては、請求項１の効果に加えて、軒樋吊り具の基板に前後に貫通する貫通孔を形成し、この貫通孔の前方から挿入したビス等の固着具を軒先などの建物に打入して軒樋吊り具を溝部材に固定したので、固着具によって軒樋吊り具を建物に完全に固定でき、軒樋の建物への取付強度を更に強固にすることができるのである。
【図面の簡単な説明】
【図１】本発明の実施の形態の例を示す側面断面図である。
【図２】同上の軒樋吊り具を示すものであり、（ａ）は側面図であり、（ｂ）は後面図であり、（ｃ）は要部の下面図であり、（ｄ）は（ｃ）のＡ−Ａ断面図である。
【図３】同上の溝部材を示すものであり、（ａ）は正面図であり、（ｂ）は側面断面図である。
【図４】同上の軒樋吊り具の溝部材への取り付け施工を説明する説明図である。
【図５】従来技術を示す斜視図である。
【図６】同上の軒樋吊り具の溝部材への取り付け施工を説明する説明図であり、（ａ）は溝部材に基板を挿入した状態を示し、（ｂ）は溝部材に挿入した基板を回転させた状態を示すものである。
【符号の説明】
１　軒樋吊り具
２　溝部材
３　底片
４　突出片
５　リップ片
６　支持腕部
７　基板
７ａ　長辺
７ｂ　短辺
８　取り付け溝
９　係止突起
１０　被係止孔
１１　貫通孔
１２　固着具
２３　爪部
【図１】
2004084298.tif 000003
【図２】
2004084298.tif 000004
【図３】
2004084298.tif 000005
【図４】
2004084298.tif 000006
【図５】
2004084298.tif 000007
【図６】
2004084298.tif 000008